(57)【要約】【課題】印刷ヘッドを容易に交換することができ、ヘッドバネの紛失が防止されるプリンタ装置を提供する。【解決手段】記録紙に印刷をする印刷ヘッドと、フレームに取り付けられたプラテンローラと、前記印刷ヘッドを前記プラテンローラの側に付勢するヘッドバネと、前記フレームの前記印刷ヘッドの裏面と対向する対向面に設けられたフックと、前記ヘッドバネの一方の端部に設けられ、前記フックに接続される支持部と、を有し、前記ヘッドバネは、前記支持部を軸に回動することを特徴とするプリンタ装置により上記課題を解決する。【選択図】  図８
2020163705.tif 000002
【特許請求の範囲】
【請求項１】
記録紙に印刷をする印刷ヘッドと、
フレームに取り付けられたプラテンローラと、
前記印刷ヘッドを前記プラテンローラの側に付勢するヘッドバネと、
前記フレームの前記印刷ヘッドの裏面と対向する対向面に設けられたフックと、
前記ヘッドバネの一方の端部に設けられ、前記フックに接続される支持部と、
を有し、
前記ヘッドバネは、前記支持部を軸に回動することを特徴とするプリンタ装置。
【請求項２】
前記ヘッドバネは、前記支持部を軸に、前記対向面に略垂直な方向から、前記対向面に略平行な方向に回動することを特徴とする請求項１に記載のプリンタ装置。
【請求項３】
前記ヘッドバネは、前記支持部を軸に、前記フレームの内側から前記フレームの外側に回動することを特徴とする請求項１に記載のプリンタ装置。
【請求項４】
前記ヘッドバネはコイルバネであって、
前記支持部は、前記フックに入れられる延伸部を有し、
前記延伸部の伸びる方向と、前記ヘッドバネの軸方向とは略垂直であることを特徴とする請求項１から３のいずれかに記載のプリンタ装置。
【発明の詳細な説明】
【技術分野】
【０００１】
本発明は、プリンタ装置に関する。
【背景技術】
【０００２】
プリンタは、商店等のレジスタや持ち運びが可能なモバイル型のレシート発行装置等の用途に幅広く用いられている。プリンタ装置には、いわゆるサーマルプリンタと呼ばれるものがあり、サーマルプリンタでは、サーマルヘッド等の印刷ヘッドとプラテンローラとの間に挟まれた記録紙に、印刷ヘッドにより印刷がなされる。
【先行技術文献】
【特許文献】
【０００３】
【特許文献１】実開平０２−１４４４５４号公報
【特許文献２】特開平０９−２１６４３６号公報
【発明の概要】
【発明が解決しようとする課題】
【０００４】
印刷ヘッドを交換する場合、印刷ヘッドはヘッドバネによりプラテンローラに押されており、印刷ヘッドの着脱は容易ではない。また、ヘッドバネは、コイルバネ等であるため転がりやすく、印刷ヘッドを取り外した際に紛失しやすい。
【０００５】
よって、装置において、ヘッドバネを紛失することなく、印刷ヘッドの交換のしやすいプリンタ装置が求められている。
【課題を解決するための手段】
【０００６】
本実施の形態の一観点によれば、記録紙に印刷をする印刷ヘッドと、フレームに取り付けられたプラテンローラと、前記印刷ヘッドを前記プラテンローラの側に付勢するヘッドバネと、前記フレームの前記印刷ヘッドの裏面と対向する対向面に設けられたフックと、前記ヘッドバネの一方の端部に設けられ、前記フックに接続される支持部と、を有し、前記ヘッドバネは、前記支持部を軸に回動することを特徴とする。
【発明の効果】
【０００７】
本発明によれば、ヘッドバネを紛失することなく、印刷ヘッドを容易に交換することのできるプリンタ装置を提供することができる。
【図面の簡単な説明】
【０００８】
【図１】プリンタ装置の上面図
【図２】第１の実施の形態のプリンタ装置の斜視図
【図３】第１の実施の形態のプリンタ装置の上面図
【図４】第１の実施の形態のプリンタ装置のフレームの説明図
【図５】第１の実施の形態のプリンタ装置のヘッドバネの説明図（１）
【図６】第１の実施の形態のプリンタ装置のヘッドバネの説明図（２）
【図７】第１の実施の形態のプリンタ装置の説明図（１）
【図８】第１の実施の形態のプリンタ装置の説明図（２）
【図９】第１の実施の形態のプリンタ装置の説明図（３）
【図１０】第１の実施の形態のプリンタ装置の説明図（４）
【図１１】第２の実施の形態のプリンタ装置の斜視図
【図１２】第２の実施の形態のプリンタ装置の上面図
【図１３】第２の実施の形態のプリンタ装置の側面図
【図１４】第２の実施の形態のプリンタ装置のフレームの説明図
【図１５】第２の実施の形態のプリンタ装置のヘッドバネの説明図（１）
【図１６】第２の実施の形態のプリンタ装置のヘッドバネの説明図（２）
【図１７】第２の実施の形態のプリンタ装置の説明図（１）
【図１８】第２の実施の形態のプリンタ装置の説明図（２）
【図１９】第２の実施の形態のプリンタ装置の説明図（３）
【図２０】第２の実施の形態のプリンタ装置のヘッドバネの回動の説明図
【発明を実施するための形態】
【０００９】
本発明を実施するための形態について、以下に説明する。尚、同じ部材等については、同一の符号を付して説明を省略する。また、以下、Ｘ１−Ｘ２方向、Ｙ１−Ｙ２方向、Ｚ１−Ｚ２方向を相互に直交する方向とする。
【００１０】
〔第１の実施の形態〕
プリンタ装置における印刷ヘッドの交換について、図１に基づき説明する。
【００１１】
プリンタ装置は、印刷ヘッド１０、プラテンローラ２０、フレーム３０、ヘッドバネ４０を有している。プラテンローラ２０はフレーム３０に取り付けられている。印刷ヘッド１０は、印刷面がプラテンローラ２０側となるように配置され、ヘッドバネ４０によりプラテンローラ２０側に付勢されている。記録紙は、印刷ヘッド１０とプラテンローラ２０との間に挟まれた状態でプラテンローラ２０により搬送される。
【００１２】
印刷ヘッド１０はサーマルヘッドであり、印刷部分に対応した発熱体が発熱し、記録紙の加熱された部分が変色して印刷される。印刷ヘッド１０と記録紙とは直接接触しており、印刷ヘッド１０による印刷を繰り返すことにより、印刷ヘッド１０の表面が記録紙により擦られ、摩耗する場合がある。また、裏面にのりが付着しているラベル紙に印刷をすると、のりが印刷ヘッド１０とプラテンローラ２０とに挟まれてはみ出し、印刷ヘッド１０に付着して熱により硬化して取れなくなったり、他の異物がのりに貼り付いて取れなくなる場合がある。
【００１３】
そのため、印刷ヘッドを適宜交換する必要があるが、印刷ヘッド１０はヘッドバネ４０によりプラテンローラ２０側に押されているため、印刷ヘッド１０を取り外しにくく、また、印刷ヘッド１０を取り付ける際にも取り付けにくい。
【００１４】
更に、ヘッドバネ４０がコイルバネ等である場合には、印刷ヘッド１０が取り外されると転がり紛失してしまう可能性がある。
【００１５】
本実施の形態は、上記のような課題を解決するものである。
【００１６】
（プリンタ装置）
次に、第１の実施の形態におけるプリンタ装置について、図２及び図３に基づき説明する。図２は本実施の形態におけるプリンタ装置の斜視図であり、図３は上面図である。
【００１７】
本実施の形態におけるプリンタ装置はサーマルプリンタであり、印刷ヘッド１０、プラテンローラ２０、フレーム１３０、ヘッドバネ１４０を有している。プラテンローラ２０は回転軸２１を中心に回転可能にフレーム１３０に取り付けられている。印刷ヘッド１０は、印刷面がプラテンローラ２０側となるように配置され、背面より、フレーム１３０との間に設けられたヘッドバネ１４０によりプラテンローラ２０側に押されている。感熱紙などの記録紙は、印刷ヘッド１０とプラテンローラ２０との間に挟まれた状態で、プラテンローラ２０により搬送され、印刷ヘッド１０により印刷される。
【００１８】
図４に示されるように、フレーム１３０には、印刷ヘッド１０の背面と対向する対向面１３１に、ヘッドバネ１４０を支持するフック１３２が設けられている。フック１３２は、印刷ヘッド１０側に突き出た形状に形成されている。
【００１９】
ヘッドバネ１４０について、図５及び図６に基づき説明する。ヘッドバネ１４０はコイルバネである。図５及び図６では、ヘッドバネ１４０の軸方向がＸ１−Ｘ２方向となっており、この方向にヘッドバネ１４０は伸び縮みする。ヘッドバネ１４０は、Ｘ１側の端部１４０ａがフレーム１３０側となり、Ｘ２側の端部１４０ｂが印刷ヘッド１０の背面に接触し、Ｘ１−Ｘ２方向に縮められた状態でプリンタ装置に取り付けられることにより、印刷ヘッド１０をプラテンローラ２０側に押す。ヘッドバネ１４０の端部１４０ａ側にはフック１３２と接続される支持部１４１が設けられている。支持部１４１は、ＹＺ面で折り曲げて形成されており、第１延伸部１４１ａ、第１折曲部１４１ｂ、第２延伸部１４１ｃ、第２折曲部１４１ｄ、第３延伸部１４１ｅ、第３折曲部１４１ｆ、第４延伸部１４１ｇを有する。
【００２０】
第１延伸部１４１ａはコイル状に巻かれている部分の端部１４０ａよりＹ２方向に直線状に伸びており、第１折曲部１４１ｂにおいてＺ１方向に略垂直に曲げられ、Ｚ１方向に直線状に伸びる第２延伸部１４１ｃが形成されている。更に、第２折曲部１４１ｄにおいてＹ１方向に略垂直に曲げることで、Ｙ１方向に伸びる第３延伸部１４１ｅが形成されている。更に、第３折曲部１４１ｆにおいてＺ２方向に略垂直に曲げることで、Ｚ２方向に伸びる第４延伸部１４１ｇが形成されている。
【００２１】
第１延伸部１４１ａと第３延伸部１４１ｅはＹ１−Ｙ２方向と平行であり、第２延伸部１４１ｃと第４延伸部１４１ｇはＺ１−Ｚ２方向と平行である。
【００２２】
本実施の形態においては、第２延伸部１４１ｃをフック１３２の内側に入れることにより、ヘッドバネ１４０がフレーム１３０に支持される。このため、印刷ヘッド１０を取り外しても、ヘッドバネ１４０がフレーム１３０より外れることはなく、ヘッドバネ１４０の紛失を防ぐことができる。尚、ヘッドバネ１４０の軸方向は、第２延伸部１４１ｃの伸びるＺ１−Ｚ２方向と略垂直である。
【００２３】
本実施の形態においては、第２延伸部１４１ｃがフック１３２の内側に入れられた状態で、第２延伸部１４１ｃを軸にヘッドバネ１４０を回動させることができる。このため、印刷ヘッド１０の着脱時には、ヘッドバネ１４０を回動させて、ヘッドバネ１４０の付勢力が印刷ヘッド１０に加わらないようにすることができ、印刷ヘッド１０の取り外しや取り付けを容易に行うことができる。
【００２４】
図２及び図３は記録紙に印刷可能な状態を示しており、印刷ヘッド１０がヘッドバネ１４０によりプラテンローラ２０側に押されている。この状態では、ヘッドバネ１４０の軸方向は、フレーム１３０の対向面１３１に対して略垂直である。
【００２５】
印刷ヘッド１０を取り外す際には、図７及び図８に示すように第２延伸部１４１ｃを軸にヘッドバネ１４０を９０°回動させて、ヘッドバネ１４０の付勢力が印刷ヘッド１０に加わらない状態にする。この状態では、ヘッドバネ１４０の軸方向とフレーム１３０の対向面１３１とが平行になる。図７はヘッドバネ１４０を回動させた状態の斜視図であり、図８は上面図である。図７及び図８は、プラテンローラ２０がフレーム１３０より外れた状態を示している。
【００２６】
図７及び図８の状態で、ヘッドバネ１４０の端部１４０ｂは印刷ヘッド１０の背面から離れ、印刷ヘッド１０にはヘッドバネ１４０の付勢力が加わっていないため、容易に印刷ヘッド１０を取り外すことができ、図９に示す状態にすることができる。
【００２７】
また、図９に示す状態で印刷ヘッド１０を取り付ける際には、印刷ヘッド１０をフレーム１３０内に入れた後、第２延伸部１４１ｃを軸にヘッドバネ１４０を回動させて、図２及び図３に示すようにヘッドバネ１４０の付勢力が印刷ヘッド１０に働く状態にする。これにより、印刷ヘッド１０を容易に取り付けることができる。図１０は、ヘッドバネ１４０を図９に示す状態より回動させた状態を示すものであり、フック１３２と支持部１４１との関係を解りやすくするために、便宜上、印刷ヘッド１０を取り外した状態を示す。
【００２８】
〔第２の実施の形態〕
第２の実施の形態におけるプリンタ装置について、図１１から図１３に基づき説明する。図１１は本実施の形態におけるプリンタ装置の斜視図であり、図１２は上面図であり、図１３は側面図である。
【００２９】
本実施の形態におけるプリンタ装置は、印刷ヘッド１０、プラテンローラ２０、フレーム２３０、ヘッドバネ２４０を有する。プラテンローラ２０は回転可能にフレーム２３０に取り付けられている。印刷ヘッド１０は、背面より、ヘッドバネ２４０によりプラテンローラ２０側に押されている。
【００３０】
図１４に示すように、印刷ヘッド１０の背面と対向するフレーム２３０の対向面２３１の上方には、ヘッドバネ２４０を支持するフック２３２が設けられている。
【００３１】
ヘッドバネ２４０について、図１５及び図１６に基づき説明する。ヘッドバネ２４０はコイルバネであり、ヘッドバネ２４０の軸方向、つまりＸ１−Ｘ２方向に伸び縮みする。ヘッドバネ２４０は、端部２４０ａがフレーム２３０に接触し、端部２４０ｂが印刷ヘッド１０の背面に接触し、Ｘ１−Ｘ２方向に縮められた状態でプリンタ装置に取り付けることにより、印刷ヘッド１０をプラテンローラ２０側に押す。ヘッドバネ２４０の端部２４０ａの側には、フック２３２と接続される支持部２４１が設けられている。支持部２４１は、折り曲げて形成されており、第１延伸部２４１ａ、第１折曲部２４１ｂ、第２延伸部２４１ｃ、第２折曲部２４１ｄ、第３延伸部２４１ｅ、第３折曲部２４１ｆ、第４延伸部２４１ｇを有する。
【００３２】
第１延伸部２４１ａは端部２４０ａよりＺ１方向に伸びており、第１折曲部２４１ｂにおいてＸ１方向に略垂直に曲げることで、Ｘ１方向に伸びる第２延伸部２４１ｃが形成されている。更に、第２折曲部２４１ｄにおいてＹ１方向に略垂直に曲げることで、Ｙ１方向に直線状に伸びる第３延伸部２４１ｅが形成されている。更に、第３折曲部２４１ｆにおいてＸ２方向に略垂直に曲げることで、Ｘ２方向に伸びる第４延伸部２４１ｇが形成されている。
【００３３】
第１延伸部２４１ａと第３延伸部２４１ｅとは直交しており、第２延伸部２４１ｃと第４延伸部２４１ｇはＸ１−Ｘ２方向と平行である。
【００３４】
本実施の形態においては、第３延伸部２４１ｅをフック２３２に入れることによりヘッドバネ２４０がフレーム２３０に支持される。このため、印刷ヘッド１０を取り外しても、ヘッドバネ２４０はフレーム２３０より外れることはなく、ヘッドバネ２４０の紛失を防ぐことができる。尚、ヘッドバネ２４０の軸方向は、第３延伸部２４１ｅの伸びるＹ１−Ｙ２方向と略垂直である。
【００３５】
本実施の形態において、第３延伸部２４１ｅがフック２３２の内側に入れられた状態で、第３延伸部２４１ｅを軸にヘッドバネ２４０を図示上方に回動させることができる。このため、印刷ヘッド１０の着脱時には、ヘッドバネ２４０を回動させてヘッドバネ２４０の付勢力が印刷ヘッド１０に加わらないようにすることができ、印刷ヘッド１０の取り外しや取り付けを容易に行うことができる。
【００３６】
図１１から図１３は印刷可能な状態を示しており、印刷ヘッド１０がヘッドバネ２４０によりプラテンローラ２０側に押されている。この状態において、ヘッドバネ２４０は、フレーム２３０の内側、即ち、印刷ヘッド１０側にある。
【００３７】
印刷ヘッド１０を取り外す際には、図１７から図１９に示すように、第３延伸部２４１ｅを軸にヘッドバネ２４０を約２７０°回動させて、ヘッドバネ２４０の付勢力が印刷ヘッド１０に加わらない状態にしてから、印刷ヘッド１０を取り外す。この状態では、ヘッドバネ２４０は、フレーム２３０の外側、即ち、印刷ヘッド１０側とは反対側にある。図１７はヘッドバネ２４０を回動させた状態の斜視図であり、図１８は上面図であり、図１９は側面図である。図１７から図１９は、プラテンローラ２０及び印刷ヘッド１０が外れている状態を示している。
【００３８】
印刷ヘッド１０を取り付ける際には、この状態で印刷ヘッド１０をフレーム２３０内に入れ、第３延伸部２４１ｅを軸にヘッドバネ２４０を回動させて、図１１から図１３に示すように、ヘッドバネ２４０の付勢力が印刷ヘッド１０に働く状態にする。
【００３９】
図２０は、第３延伸部２４１ｅを軸にヘッドバネ２４０が回動する様子を示している。図２０（ａ）に示す、印刷ヘッド１０にヘッドバネ２４０の付勢力が働いている状態より、ヘッドバネ２４０を、図２０（ｂ）の時計回りに約４５°回動した状態、図２０（ｃ）の時計回りに約９０°回動した状態、図２０（ｄ）の時計回りに約１３５°回動した状態、図２０（ｅ）の時計回りに約１８０°回動した状態、図２０（ｆ）の時計回りに約２２５°回動した状態、図２０（ｇ）の時計回りに約２７０°回動した状態に回動させることができる。印刷ヘッド１０を取り外す際にはヘッドバネ２４０を図２０（ａ）から図２０（ｇ）の順で回動させ、印刷ヘッド１０を取り付ける際には、この工程と逆の工程を辿りヘッドバネ２４０を回動させる。
【００４０】
尚、上記以外の内容については、第１の実施の形態と同様である。
【００４１】
以上、本発明の実施に係る形態について説明したが、上記内容は、発明の内容を限定するものではない。
【符号の説明】
【００４２】
１０        印刷ヘッド
２０        プラテンローラ
１３０      フレーム
１３１      対向面
１３２      フック
１４０      ヘッドバネ
１４１      支持部
【図１】
2020163705.tif 000003
【図２】
2020163705.tif 000004
【図３】
2020163705.tif 000005
【図４】
2020163705.tif 000006
【図５】
2020163705.tif 000007
【図６】
2020163705.tif 000008
【図７】
2020163705.tif 000009
【図８】
2020163705.tif 000010
【図９】
2020163705.tif 000011
【図１０】
2020163705.tif 000012
【図１１】
2020163705.tif 000013
【図１２】
2020163705.tif 000014
【図１３】
2020163705.tif 000015
【図１４】
2020163705.tif 000016
【図１５】
2020163705.tif 000017
【図１６】
2020163705.tif 000018
【図１７】
2020163705.tif 000019
【図１８】
2020163705.tif 000020
【図１９】
2020163705.tif 000021
【図２０】
2020163705.tif 000022